(57)【特許請求の範囲】
【請求項１】
１個の高周波信号入力端子と電話線接続端子と複数の出力端子とを有し、ケース内で高周波信号入力端子と出力端子とが分配回路を介して接続されると共に、分配回路の各出力側と電話線接続端子とが接続され、高周波信号入力端子と出力端子とが電話信号阻止用素子を介して接続され、電話線接続端子と出力端子とが高周波信号阻止用素子を介して接続された電話信号重畳器。
【請求項２】
複数の高周波信号入力端子と電話線接続端子と出力端子とを有し、ケース内で複数の高周波信号入力端子と出力端子とが混合回路を介して接続されると共に、混合回路の出力側と電話線接続端子とが接続され、高周波信号入力端子と出力端子とが電話信号阻止用素子を介して接続され、電話線接続端子と出力端子とが高周波信号阻止用素子を介し接続された電話信号重畳器。
【請求項３】
前記電話信号阻止用素子が回路に直列に接続されたコンデンサである請求項１又は２に記載の電話信号重畳器。
【請求項４】
前記高周波信号阻止用素子が回路に直列に接続されたコイルである請求項１乃至３の何れかに記載の電話信号重畳器。
【発明の詳細な説明】
【０００１】
【発明の属する技術分野】
本発明は、テレビ信号等の高周波信号を伝送する伝送線に電話回線を接続し、高周波信号線に電話信号を重畳する電話信号重畳器に属する。
【０００２】
【従来の技術】
ＣＳ（通信衛星）あるいは衛星放送等による有料の通信あるいは放送を受信する場合は、受信契約をして毎月定額料金を局へ支払ったり、視聴した番組についてのみの視聴料を局へ支払ったりしているが、視聴した番組の料金を支払う方法は、電話回線を使用して視聴契約をするのが一般的であり、この場合は受信設備として電話回線も必要であった。
また通信カラオケやインターネットに接続可能なテレビ受像機を設置する場合もテレビ信号等の高周波信号線以外に電話回線による接続が必要であった。
このように電話回線を必要とする受信設備は、チューナ等の端末の設置場所にあわせて高周波信号線を配線する以外に、電話機あるいは電話端子から電話線を分岐したり、新たに電話端子を端末の設置場所に設けたりしていた。
【０００３】
【発明が解決しようとする課題】
そのため、電話機あるいは電話端子が端末の設置場所にあれば容易に端末に電話線を接続することができるが、そうでない場合は分岐コードを長くして対応したり、新たに電話端子を設けなければならず、分岐コードの途中の処理が煩わしかったり、電話端子を新たに設ける場合は費用がかさんだりした。まして、複数箇所に端末を設置しようとすると、その数の分岐コード、あるいは電話端子が必要であり、接続が非常に厄介であった。
【０００４】
本発明は、このような問題を解決するもので、高周波信号線である同軸ケーブルを各受信端へ配線するのみで、別途電話線を各受信端へ配線することなく、電話回線を必要とする衛星放送あるいは通信用受信チューナ等の端末装置の接続を可能とすることを課題とする。
【０００５】
【課題を解決するための手段】
上記課題を解決するために、請求項１の発明による電話信号重畳器は、１個の高周波信号入力端子と電話線接続端子と複数の出力端子とを有し、ケース内で高周波信号入力端子と出力端子とが分配回路を介して接続されると共に、分配回路の出力側と電話線接続端子とが接続され、高周波信号入力端子と出力端子とが電話信号阻止用素子を介して接続され、電話線接続端子と出力端子とが高周波信号阻止用素子を介して接続されて構成される。
【０００６】
請求項２の発明による電話信号重畳器は、複数の高周波信号入力端子と電話線接続端子と出力端子とを有し、ケース内で複数の高周波信号入力端子と出力端子とが混合回路を介して接続されると共に、混合回路の出力側と電話線接続端子とが接続され、高周波信号周力端子と出力端子とが電話信号阻止用素子を介して接続され、電話線接続端子と出力端子とが高周波信号阻止用素子を介し接続されて構成される。
【０００８】
請求項３の発明による電話信号重畳器は、前記電話信号阻止用素子が回路に直列に接続されたコンデンサであると良い。
【０００９】
請求項４の発明による電話信号重畳器は、前記高周波信号阻止用素子が回路に直列に接続されたコイルであるとよい。
【００１０】
【発明の実施の形態】
以下本発明を具体化した実施の形態を図面を基に詳細に説明する。図１は電話信号重畳器の１例を示す回路図で、図２は外観斜視図である。図示するように電話信号重畳器１はケースである筐体７の外周に電話線接続端子２、高周波信号入力端子３、４個の出力端子４を有し、高周波信号入力端子３，出力端子４はそれぞれＦ型接栓座で構成されている。また内部には高周波信号を４分配する分配回路５を有している。そして、電話線接続端子２は夫々の出力端子４にコイルＬ１を介し接続され、分配回路５の分配出力は出力端子４にコンデンサＣ１を介し接続されている。
コイルＬ１は電話回線へ高周波信号の侵入を阻止し電話回線を良好に使用するための素子であり、空芯コイルあるいはチョークコイルが使用できその数値は例えば１０μＨである。また、コンデンサＣ１は分配回路及びアンテナ側の高周波回路部へ電話信号が侵入するのを阻止し、高周波回路部を良好に動作させるための素子であり、例えば１０００ｐＦとすると良い。また、コンデンサＣ２は電話交換局からの回線チェックのための素子である。
【００１１】
筐体７は、アルミや亜鉛のダイキャスト製であって、ネジ挿通部７ａを４隅に有し、ネジ６により壁等に固定したり、アース線を接続することができる。また、高周波信号入力端子３、出力端子４は同軸ケーブルのコネクタを接続する同軸接栓座であり、電話線接続端子２は電話線のモジュラープラグを接続するモジュラージャックとすることで、全ての端子はコネクタにより容易に接続可能となっている。
このように、分配回路部で電話回線を高周波信号線に接続重畳し、その合成信号を各受信端に夫々１本の同軸ケーブルで伝送するようにすれば、受信端まで別途電話線を配線する必要がない。また、ケースを金属製とすることでアースを容易に取ることができる。
【００１２】
図３は、ＣＳ及び衛星放送や地上波放送をアンテナで受信して受信端においてテレビ受像器で視聴するテレビ放送受信システムに電話信号重畳器１を組込んだ構成の具体例である。１７は電話回線による接続を必要とするＣＳを受信するＣＳアンテナ、１７ａはＣＳコンバータ、１８はブロックコンバータであり、ブロックコンバータ１８の出力は同軸ケーブルにより混合器２３へ送られている。
また、１９はＢＳ放送を受信するＢＳアンテナ、１９ａはＢＳコンバータであり、２０はＶＨＦアンテナ、２１はＵＨＦアンテナである。ＢＳ信号、ＶＨＦ信号、ＵＨＦ信号は増幅器２２で混合増幅され同軸ケーブルにより混合器２３へ送られている。尚、１８ａはＣＳコンバータ１７ａとブロックコンバータ１８に電力を供給する電源プラグであり、２２ａはＢＳコンバータ１９ａと増幅器２２に電力を供給する電源プラグである。
【００１３】
そして、混合器２３でブロックコンバータ１８の出力と、増幅器２２の出力は混合され、電話信号重畳器１の高周波信号入力端子３に１本の同軸ケーブル２７で接続される。電話信号重畳器１は電話線接続端子２に電話線２８が接続され、４個の出力端子４は同軸ケーブル２７ａにより各受信端に設けた端末端子２４へ配線される。また２５は衛星放送受信用のチューナであり、２６はテレビ受像器である。尚、電話回線を必要としない地上放送やＢＳ放送信号はＣＳ信号と混合する事無く、別配線としても良い。
【００１４】
端末端子２４は図４（ａ）の回路図、（ｂ）の正面図に示すように、高周波信号と電話信号とを分離する分離回路が内蔵されており、衛星放送信号等を出力するテレビ端子２４ａと電話機接続端子である電話機コンセント２４ｂを有している。２８は電話信号重畳器１の出力と同軸ケーブルで接続される入力端子であり、テレビ端子２４ａとは端末機器へ電話信号が侵入しないように、電話信号阻止用のコンデンサＣ３を介して接続され、２個の電話機コンセント２４ｂとは端末の電話器回路へ高周波信号が侵入しないように、高周波信号阻止用のコイルＬ２を介して接続されている。尚、この電話機コンセント２４ｂは１個であっても良い。
【００１５】
このように、混合器から１本の同軸ケーブルで屋内に引き込まれた信号は、各受信端に信号を分配する分配器に代え、分配回路を内蔵した電話信号重畳器を用いれば、各受信端に１本の同軸ケーブルを配線するだけで衛星放送信号を得ると共に電話回線も引き込むことができるため、各受信端に別途電話線を引き込む必要がない。
【００１６】
図５は本発明の第２の実施の形態を示すもので２分配回路（図示せず）を内蔵した電話信号重畳器１１の外観斜視図である。ケースである箱体１０は１面が開放された樹脂製であって、開放部には着脱が容易な蓋体１０ａを有している。そして、箱体内に設けた回路基板１５に電話線接続端子１２、高周波信号入力端子１３、２個の出力端子１４が夫々ネジ式接続端子として設けられている。箱体１０の側部には各端子に接続するための電話線挿通口１２ａ、高周波信号線挿通口１３ａ、出力線挿通口１４ａが設けられている。
このように、各信号線の接続部はネジ式であってもよく、筐体も樹脂製とすることが可能で、こうすることで安価に構成することができる。また、分配数は必要に応じて変更すれば良い。
【００１７】
図６は本発明の第３の実施の形態を示す回路図である。この図に示す電話信号重畳器３１はアパートや集合住宅において、ＣＳ受信，衛星放送等を共同受信する場合に適しているもので、４個の出力端子３４の夫々に独立して電話線を接続できるようになっている。
電話線接続端子３２はコイルＬ１を介し出力端子３４と接続され、また高周波信号入力端子３３は分配回路３５の入力側に接続され、分配回路３５の分配出力と各出力端子３４とはコンデンサＣ１を介し接続されている。尚、ケースは金属製であっても樹脂製であってもよい。
このように構成することで、夫々の衛星放送等の受信契約者に夫々の契約者の電話回線を接続した衛星放送信号を夫々１本の同軸ケーブルで供給することができる。
【００１８】
また、図７は本発明の第４の実施の形態を示す斜視図である。この電話信号重畳器４１は図３に示す受信システムのＡ部全体を１個のケースの中に納めたもので、増幅回路、混合回路、４分配する分配回路を有し、４２はネジ式の電話線接続端子、４３ａはＣＳ信号入力端子、４３ｂはＢＳ信号入力端子、４３ｃはＵＨＦ又はＵＨＦ，ＶＨＦ混合入力端子、４３ｄはＶＨＦ入力端子である。そして、４７ａ，４７ｂは夫々ＣＳ信号，ＢＳ信号の利得調整部、４７ｃ，４７ｄは夫々ＵＨＦ，ＶＨＦの利得調整部であり、４８は混合入力端子４３ｃの信号切換えスイッチ、４６は電源スイッチ、４５は電源プラグである。
このように構成すれば、出力に電話回線を重畳し伝送することができると共に、夫々のアンテナの入力信号の利得を１箇所で調整することができ便利である。
【００１９】
更に、図８は本発明の第５の実施の形態を示す回路図であり、ケース内に４分岐する分岐回路５４を有している。高周波信号入力端子５２は、コンデンサＣ１を介し分岐回路５４の入力に接続され、５５は分岐結合損失を有しない幹線側の出力端子である。
電話線接続端子５１はコイルＬ１を介し分岐回路５４の入力側に接続され、各出力端子５３はコンデンサＣ１を介し分岐出力と接続され、更にコイルＬ１を介し分岐回路５４の入力側あるいは幹線側の出力に接続されている。
このように、分岐回路を用いて高周波信号を複数に分岐する場合であっても電話回線を高周波信号線に接続し、受信端側へ電話回線を重畳伝送することができる。
【００２０】
尚、上記実施の形態は何れも電話回線による接続を必要とする衛星放送受信装置を設置する場合について説明してきたが、本発明は、それに限定するものではなく、通信カラオケやインターネットあるいはインターテキスト等を内蔵したテレビ等、電話回線を利用してデータの送受信を行うシステムに対しても実施することが可能である。その他、本発明は上記実施の形態に限定されるものではなく、本発明の趣旨を逸脱しない範囲で回路、構成を適宜変更して実施することも可能である。
【００２１】
【発明の効果】
以上詳述したように、請求項１，２の発明によれば、電話回線を必要とする衛星放送受信装置等の受信設備を設置する場合であっても、１本の同軸ケーブルを端末の設置場所に配設するのみで、電話線を別途配設すること無く端末に電話回線を容易に接続することができる。
【００２２】
請求項３の発明によれば、電話信号を阻止することができ、高周波信号回路を良好に動作させることができる。
【００２３】
請求項４の発明によれば、高周波信号を阻止することができ、電話回線を良好に使用することができる。
【図面の簡単な説明】
【図１】本発明の実施の形態の１例を示す回路図である。
【図２】図１に示す回路を組込んだ電話信号重畳器の斜視図である。
【図３】図１の電話信号重畳器を組込んだテレビ放送受信システムの説明図である。
【図４】図３に示す端末端子の具体例を示し、（ａ）は回路図、（ｂ）は正面図である。
【図５】本発明の第２の実施の形態を示す電話信号重畳器の斜視図である。
【図６】本発明の第３の実施の形態を示す電話信号重畳器の回路図である。
【図７】本発明の第４の実施の形態を示し、混合器等と一体化した電話信号重畳器の斜視図である。
【図８】本発明の第５の実施の形態を示し、分岐回路を内蔵した電話信号重畳器の回路図である。
【符号の説明】
１・・電話信号重畳器、２・・電話線接続端子、３・・高周波信号入力端子、４・・出力端子、５・・分配回路、７・・筐体、１０・・箱体、１０ａ・・蓋体、１１・・電話信号重畳器、１２・・電話線接続端子、１３・・高周波信号入力端子、１４・・出力端子、２３・・混合器、２７，２７ａ・・同軸ケーブル、３１・・電話信号重畳器、３２・・電話線接続端子、３３・・高周波信号入力端子、３４・・出力端子、３５・・分配回路、４１・・電話信号重畳器、４２・・電話線接続端子、４３ａ・・ＣＳ信号入力端子、４４・・出力端子、５０・・電話信号重畳器、５１・・電話線接続端子、５２・・高周波信号入力端子、５３・・出力端子、５４・・分岐回路、５５・・出力端子、
Ｃ１，Ｃ２，Ｃ３・・コンデンサ、Ｌ１，Ｌ２・・コイル。
【図１】
0003731772.tif 000002
【図２】
0003731772.tif 000003
【図３】
0003731772.tif 000004
【図４】
0003731772.tif 000005
【図５】
0003731772.tif 000006
【図６】
0003731772.tif 000007
【図７】
0003731772.tif 000008
【図８】
0003731772.tif 000009